Podtech/llm-jp-corpus-v4-ja_patent huggingface dataset:
【手続補正書】
【提出日】令和3年3月26日(2021.3.26)
【手続補正１】
【補正対象書類名】特許請求の範囲
【補正対象項目名】全文
【補正方法】変更
【補正の内容】
【特許請求の範囲】
【請求項１】
磁気ディスク用非磁性基板であって、
対向する２つの主表面を有する、ガラス基板あるいはアルミニウム合金基板である基板本体と、
前記基板本体の主表面及び外周端面に形成された、Ｎｉ−Ｐ合金の膜と、を備え、
前記基板本体の厚さＴと前記膜の厚さＤの合計である前記非磁性基板の厚さ（Ｔ＋Ｄ）は、０．７００ｍｍ以下であって、
前記膜の厚さＤの、前記基板本体の厚さＴに対する比Ｄ／Ｔが０．０２５以上であり、
前記基板本体の、前記膜との界面を形成する外周端面の表面粗さの最大高さＲｚは０．５μｍ以上である、ことを特徴とする磁気ディスク用非磁性基板。
【請求項２】
磁気ディスク用非磁性基板であって、
対向する２つの主表面を有する、ガラス基板あるいはアルミニウム合金基板である基板本体と、
前記基板本体の主表面及び外周端面に形成された、Ｎｉ−Ｐ合金の膜と、を備え、
前記基板本体の厚さＴと前記膜の厚さＤの合計である前記非磁性基板の厚さ（Ｔ＋
Ｄ）は、０．７００ｍｍ以下であって、
前記膜の厚さＤの、前記基板本体の厚さＴに対する比Ｄ／Ｔが０．０２５以上であり、
前記外周端面における前記膜の表面粗さの最大高さＲｚは、前記外周端面における前記基板本体の表面粗さの最大高さＲｚより小さい、ことを特徴とする磁気ディスク用非磁性基板。
【請求項３】
前記外周端面における前記膜の表面粗さの最大高さＲｚは、前記外周端面における前記基板本体の表面粗さの最大高さＲｚより小さい、請求項１に記載の磁気ディスク用非磁性基板。
【請求項４】
前記主表面のそれぞれにおける前記膜の厚さは、前記外周端面における前記膜の厚さの８０％以上である、請求項１〜３のいずれか１項に記載の磁気ディスク用非磁性基板。
【請求項５】
前記非磁性基板の厚さは、０．６４０ｍｍ以下である、請求項１〜４のいずれか１項に記載の磁気ディスク用非磁性基板。
【請求項６】
前記非磁性基板の厚さは、０．６３５ｍｍ以下である、請求項１〜５のいずれか１項に記載の磁気ディスク用非磁性基板。
【請求項７】
前記非磁性基板の厚さは、０．５７０ｍｍ以下である、請求項１〜６のいずれか１項に記載の磁気ディスク用非磁性基板。
【請求項８】
前記非磁性基板の厚さは、０．５２０ｍｍ以下である、請求項１〜７のいずれか１項に記載の磁気ディスク用非磁性基板。
【請求項９】
前記非磁性基板の厚さは、０．４００ｍｍ以下である、請求項１〜８のいずれか１項に記載の磁気ディスク用非磁性基板。
【請求項１０】
前記磁気ディスク用非磁性基板は円盤形状であって、
前記円盤形状の外径は９０ｍｍ以上である、請求項１〜９のいずれか１項に記載の磁気ディスク用非磁性基板。
【請求項１１】
前記膜のビッカース硬度Ｈｖは１００［ｋｇｆ／ｍｍ２］以上である、請求項１〜１０のいずれか１項に記載の磁気ディスク用非磁性基板。
【請求項１２】
前記基板本体はアルミニウム合金基板である、請求項１〜１１のいずれか１項に記載の磁気ディスク用非磁性基板。
【請求項１３】
前記比Ｄ／Ｔは０．０３以上である、請求項１〜１２のいずれか１項に記載の磁気ディスク用非磁性基板。
【請求項１４】
前記比Ｄ／Ｔは０．０４以上である、請求項１〜１３のいずれか１項に記載の磁気ディスク用非磁性基板。
【請求項１５】
請求項１〜１４のいずれか１項に記載の磁気ディスク用非磁性基板の表面に少なくとも磁性膜を有する、磁気ディスク。
【請求項１６】
請求項１５に記載の磁気ディスクと、磁気ヘッドとを含む、ハードディスクドライブ装置。
【手続補正書】
【提出日】令和3年4月13日(2021.4.13)
【手続補正１】
【補正対象書類名】特許請求の範囲
【補正対象項目名】全文
【補正方法】変更
【補正の内容】
【特許請求の範囲】
【請求項１】
反応ガスの供給を受けて直流電流を出力する燃料電池スタックを監視する燃料電池監視装置であって、
異なる複数の周波数の交流成分を含む交流信号を前記燃料電池スタックの前記直流電流に重畳する信号重畳部と、
前記燃料電池スタックの前記直流電流に前記交流信号が重畳されることによって発生する応答電流の電圧値又は電流値を用いて、前記燃料電池スタックの含水量を推定する含水量推定部と、
前記燃料電池スタックの前記直流電流の電流値と、前記反応ガスの供給流量とを用いて、前記反応ガスの前記直流電流を出力するために必要とされる理論流量に対する前記供給流量の比率であるストイキ比を算出するストイキ比算出部と、
前記ストイキ比算出部によって算出されたストイキ比が予め定められた基準ストイキ比よりも小さな場合に、前記含水量推定部によって推定された含水量の推定値を前記推定値よりも小さくなるように補正する補正部と、
を備える燃料電池監視装置。
【請求項２】
請求項１に記載の燃料電池監視装置であって、
前記補正部は、前記ストイキ比算出部によって算出されたストイキ比が前記基準ストイキ比よりも小さな場合に、前記ストイキ比算出部によって算出されたストイキ比が小さくなるほど前記推定値が小さくなるように前記推定値を補正する、
燃料電池監視装置。
【手続補正書】
【提出日】令和2年12月14日(2020.12.14)
【手続補正１】
【補正対象書類名】特許請求の範囲
【補正対象項目名】全文
【補正方法】変更
【補正の内容】
【特許請求の範囲】
【請求項１】
構造物を構成する複数の部品を管理するための部品管理データベースであって、
複数の部品の各々について、前記部品の部品ＩＤと、前記部品の加工前の形状データと、前記部品の加工後の形状データと、前記加工前の形状データと前記加工後の形状データとの差分である加工形状の形状データと、前記部品に接続される他部品の部品ＩＤと、前記部品の前記他部品との嵌め入れによる接続部の接続種別を表す接続分類ＩＤと、を関連付けて記憶するとともに、
前記接続種別毎に、凹形状または凸形状を呈する前記接続部のモデル形状を記憶する
部品管理データベース。
【請求項２】
前記部品管理データベースは、前記複数の部品の各々について、前記加工前の形状データと、前記加工後の形状データと、前記加工形状の形状データと、を表計算ソフトウェアにおいて行と列とのテーブルにより表記可能な形式で記憶する
請求項１に記載の部品管理データベース。
【請求項３】
前記加工形状の形状データに基づいてＣＡＭ装置により生成された前記部品のツールパスであって、前記部品ＩＤに関連付けられる前記部品のツールパスをさらに記憶する
請求項１又は２に記載の部品管理データベース。
【請求項４】
前記部品を加工する加工機から送られる前記部品の加工進捗状況に関する情報である加工進捗情報であって、前記部品ＩＤに関連付けられる加工進捗情報をさらに記憶する
請求項１乃至３の何れか１項に記載の部品管理データベース。
【請求項５】
前記構造物の建設現場から送られる前記部品の設置状況に関する情報である設置情報であって、前記部品ＩＤに関連付けられる設置情報をさらに記憶する
請求項１乃至４の何れか１項に記載の部品管理データベース。
【請求項６】
前記接続部において前記部品と前記他部品とを接続する接続金物に関する情報である接続金物情報であって、前記部品ＩＤに関連付けられる接続金物情報をさらに記憶する
請求項１乃至５の何れか１項に記載の部品管理データベース。
【請求項７】
請求項１乃至６の何れか１項に記載の部品管理データベースと、
前記部品管理データベースとデータの送受信が可能な３ＤＣＡＤ装置と、を備え、
前記３ＤＣＡＤ装置は、前記部品の加工前の形状データ、前記他部品の加工前の形状データ、および前記接続種別毎に記憶された前記接続部のモデル形状に基づいて、前記部品の加工後の形状データ、および、前記他部品の加工後の形状データを作成可能な加工後形状作成部を有する
部品管理システム。
【請求項８】
請求項１乃至６の何れか１項に記載の部品管理データベースと、
前記部品管理データベースとデータの送受信が可能なＣＡＭ装置であって、前記加工形状の形状データに基づいて前記部品のツールパスを生成可能なＣＡＭ装置と、を備える
部品管理システム。
【請求項９】
請求項１乃至６の何れか１項に記載の部品管理データベースと、
前記部品に付された識別マークであって、前記部品を特定する情報および前記部品の形状モデルが情報としてエンコードされた識別マークと、を備え、
前記識別マークは、情報端末装置の撮影画像から抽出されて前記識別マークにエンコードされた情報が読み取られた際に、前記撮影画像に重畳して前記情報端末装置の画面に前記部品の形状モデルを表示する
部品管理システム。
【請求項１０】
構造物を構成する複数の部品を管理するための部品管理方法であって、
複数の部品の各々について、前記部品の部品ＩＤと、前記部品の加工前の形状データと、前記部品の加工後の形状データと、前記加工前の形状データと前記加工後の形状データとの差分である加工形状の形状データと、前記部品に接続される他部品の部品ＩＤと、前記部品の前記他部品との嵌め入れによる接続部の接続種別を表す接続分類ＩＤと、を関連付けて記憶装置に記憶するステップと、
前記接続種別毎に、凹形状または凸形状を呈する前記接続部のモデル形状を前記記憶装置に記憶するステップと、を有する
部品管理方法。
【手続補正書】
【提出日】令和3年4月2日(2021.4.2)
【手続補正１】
【補正対象書類名】特許請求の範囲
【補正対象項目名】全文
【補正方法】変更
【補正の内容】
【特許請求の範囲】
【請求項１】
画面に表示される複数の画像を含むコンテンツを進行させる進行制御手段と、
前記画面を基準面とした第１方向への回転の実行をユーザに促すための回転報知を、前記コンテンツの進行に応じた所定の報知タイミングで行う回転報知手段と、
を備える情報処理装置。
【請求項２】
前記回転報知手段は、前記回転報知のための回転報知画像を前記コンテンツと共に前記画面に表示し、前記回転報知画像の表示位置を、前記コンテンツを進行させる場合と進行を戻す場合とで異ならせる請求項１記載の情報処理装置。
【請求項３】
前記進行制御手段は、前記画面に対する指示体を用いたユーザの操作に応じて前記コンテンツをスクロールさせ、
前記回転報知手段は、前記回転報知のための回転報知画像を前記コンテンツと共に前記画面に表示し、前記回転報知画像を、前記画面の回転角度の状態と前記コンテンツのスクロール方向に基づく位置に表示する請求項１記載の情報処理装置。
【請求項４】
前記コンテンツは、前記画面を回転させる回転タイミング及び前記画面の回転角度を示す回転情報が付加され、
前記回転報知手段は、前記回転情報に基づいて前記回転報知を行う
請求項１から請求項３の何れか１項記載の情報処置装置。
【請求項５】
前記回転報知手段は、前記回転報知が示す回転角度と異なる回転角度の回転が実行された場合には、前記異なる回転角度に基づき更新される回転情報を報知する請求項４記載の情報処理装置。
【請求項６】
前記進行制御手段は、前記画面に表示されている前記コンテンツが前記画面を回転させる回転タイミングに達した場合、前記画面の回転を検知するまで前記回転タイミング以降の前記コンテンツを前記画面に表示しない請求項１から請求項５の何れか１項記載の情報処理装置。
【請求項７】
前記進行制御手段は、前記画面に対する指示体を用いたユーザの操作に応じて前記コンテンツをスクロールさせ、前記指示体の移動速度に基づいて前記画像の移動量を制御し、前記画面に表示されている前記コンテンツが前記画面を回転させる回転タイミングに達した場合に前記指示体の移動速度に基づく前記コンテンツのスクロールを停止させる請求項１から請求項６の何れか１項記載の情報処理装置。
【請求項８】
前記進行制御手段は、前記画面に対する指示体を用いたユーザの操作に応じて前記コンテンツをスクロールさせ、前記指示体の移動速度に基づいて前記画像の移動量を制御し、前記画面に表示される前記コンテンツが前記画面を回転させる回転タイミングに達しても、前記指示体の移動速度に基づく前記コンテンツのスクロールを継続させる請求項１から請求項５の何れか１項記載の情報処理装置。
【請求項９】
前記進行制御手段は、前記回転タイミングに達しても前記画面を前記回転報知が示す回転が実行されずにスクロールが継続される場合に前記回転報知の態様を異ならせ、前記回転報知が示す回転が実行された場合に前記回転報知を停止する請求項８記載の情報処理装置。
【請求項１０】
前記進行制御手段は、予め定められた速度で前記コンテンツを進行させ、前記速度を表示されるコンテンツに応じて異ならせる請求項１から請求項９の何れか１項記載の情報処理装置。
【請求項１１】
前記進行制御手段は、前記コンテンツを進行させるユーザの操作とは異なる所定の条件を満たしたか否かを予め定められたタイミングで判定し、前記条件を満たした場合に前記コンテンツを進行させる請求項１から請求項６の何れか１項記載の情報処理装置。
【請求項１２】
コンピュータが、画面に表示される複数の画像を含むコンテンツを進行し、
コンピュータが、前記画面を基準面とした第１方向への回転の実行をユーザに促すための回転報知を、前記コンテンツの進行に応じた所定の報知タイミングで行う、情報処理方法。
【請求項１３】
画面に表示される複数の画像を含むコンテンツを進行させる処理と、
前記画面を基準面とした第１方向への回転の実行をユーザに促すための回転報知を、前記コンテンツの進行に応じた所定の報知タイミングで行う処理と、
をコンピュータに実行させるプログラム。
【手続補正書】
【提出日】令和3年3月24日(2021.3.24)
【手続補正１】
【補正対象書類名】特許請求の範囲
【補正対象項目名】全文
【補正方法】変更
【補正の内容】
【特許請求の範囲】
【請求項１】
タッチパネルディスプレイに対する指示体の接触位置を特定する接触位置特定手段と、
前記接触位置を基準にし、前記タッチパネルディスプレイに表示されているオブジェクトに対して所定処理を行う処理範囲を前記指示体の接触時間に応じて変化させる処理範囲変化手段と、
を備える情報処理装置。
【請求項２】
前記接触位置が前記オブジェクトの外縁に対応するオブジェクト枠の内側にある場合、前記オブジェクトを前記所定処理の対象として指定する請求項１記載の情報処理装置。
【請求項３】
前記処理範囲変化手段は、前記処理範囲の変化を開始した後に前記タッチパネルディスプレイから前記指示体が離間した場合、前記処理範囲の変化を停止する請求項１又は請求項２の何れか１項記載の情報処理装置。
【請求項４】
前記処理範囲変化手段は、前記指示体が前記タッチパネルディスプレイに対して離間してから接触までの時間が所定時間内であるか否かに応じて、当該接触による前記処理範囲の変化を異ならせる請求項１から請求項３の何れか１項記載の情報処理装置。
【請求項５】
前記処理範囲変化手段は、前記接触位置を基準に前記処理範囲を変化させ、前記タッチパネルディスプレイから前記指示体が離間すると前記処理範囲をそれまでと逆向きに変化させ、その後、前記タッチパネルディスプレイに前記指示体が接触した場合に前記処理範囲の変化を停止する請求項１記載の情報処理装置。
【請求項６】
前記処理範囲変化手段は、前記指示体が前記タッチパネルディスプレイに対して離間してから接触までの時間が所定時間内である回数に基づいて、前記処理範囲の変化速度を変化させる請求項１から請求項５の何れか１項記載の情報処理装置。
【請求項７】
前記処理範囲変化手段は、前記オブジェクトの外縁に対応するオブジェクト枠を基準に前記処理範囲を変化させる請求項１から請求項６の何れか１項記載の情報処理装置。
【請求項８】
前記処理範囲変化手段は、前記接触位置を基準に前記処理範囲を拡大し、前記オブジェクト枠まで前記処理範囲が拡大すると前記処理範囲の拡大を停止する請求項７記載の情報処理装置。
【請求項９】
前記処理範囲変化手段は、前記接触位置が前記オブジェクト枠の内側にある場合であって、前記接触位置から前記オブジェクト枠を構成する第１辺までの距離と前記接触位置から前記オブジェクト枠を構成する第２辺までの距離が異なる場合に、前記接触位置から前記第１辺に向かう前記処理範囲の拡大速度を、前記接触位置から前記第２辺に向かう前記処理範囲の拡大速度と異ならせる請求項７又は請求項８記載の情報処理装置。
【請求項１０】
コンピュータが、タッチパネルディスプレイに対する指示体の接触位置を特定し、
コンピュータが、前記接触位置を基準にし、前記タッチパネルディスプレイに表示されているオブジェクトに対して所定処理を行う処理範囲を前記指示体の接触時間に応じて変化させる、情報処理方法。
【請求項１１】
タッチパネルディスプレイに対する指示体の接触位置を特定する処理と、
前記接触位置を基準にし、前記タッチパネルディスプレイに表示されているオブジェクトに対して所定処理を行う処理範囲を前記指示体の接触時間に応じて変化させる処理と、をコンピュータに実行させるプログラム。
【手続補正書】
【提出日】令和3年3月29日(2021.3.29)
【手続補正１】
【補正対象書類名】明細書
【補正対象項目名】発明の名称
【補正方法】変更
【補正の内容】
【発明の名称】ニューラルネットワークの学習装置およびその制御方法
【手続補正２】
【補正対象書類名】明細書
【補正対象項目名】０００９
【補正方法】変更
【補正の内容】
【０００９】
上述の問題点を解決するため、本発明に係るニューラルネットワーク（ＮＮ）を学習する学習装置は以下の構成を備える。すなわち、学習装置は、
第１のデータ群を用いて第１のＮＮを学習する第１の学習手段と、
前記第１のＮＮにおける第１の層と該第１の層に後続する第２の層との間に所定の処理を行う変換部を追加した第２のＮＮを生成する第１の生成手段と、
前記第１のデータ群と異なる第２のデータ群を用いて前記第２のＮＮを学習する第２の学習手段と、
を有する。
【手続補正３】
【補正対象書類名】特許請求の範囲
【補正対象項目名】全文
【補正方法】変更
【補正の内容】
【特許請求の範囲】
【請求項１】
ニューラルネットワーク（ＮＮ）を学習する学習装置であって、
第１のデータ群を用いて第１のＮＮを学習する第１の学習手段と、
前記第１のＮＮにおける第１の層と該第１の層に後続する第２の層との間に所定の処理を行う変換部を挿入した第２のＮＮを生成する第１の生成手段と、
前記第１のデータ群と異なる第２のデータ群を用いて前記第２のＮＮを学習する第２の学習手段と、
を有することを特徴とする学習装置。
【請求項２】
学習された前記第２のＮＮと略同一の出力特性を有し該第２のＮＮよりもネットワーク規模が小さい第３のＮＮを生成する第２の生成手段を更に有する
ことを特徴とする請求項１に記載の学習装置。
【請求項３】
前記第２の生成手段は、前記第１のデータ群及び前記第２のデータ群の少なくとも一方を用いて前記第３のＮＮを生成する
ことを特徴とする請求項２に記載の学習装置。
【請求項４】
前記第２の学習手段は、前記第２のデータ群を用いた学習における前記変換部の学習率を他の層の学習率よりも大きく設定する
ことを特徴とする請求項１乃至３の何れか１項に記載の学習装置。
【請求項５】
前記第２の学習手段は、前記変換部を除く層の学習率をゼロに設定する
ことを特徴とする請求項４に記載の学習装置。
【請求項６】
前記第１の生成手段は、前記第１のＮＮに対して複数の変換部を挿入した前記第２のＮＮを生成し、
前記第２の学習手段は、前記複数の変換部のうち、前記第２のＮＮの入力層に近い変換部ほど学習率を低く設定する
ことを特徴とする請求項１乃至５の何れか１項に記載の学習装置。
【請求項７】
前記第１の生成手段は、前記第１のＮＮに含まれる各層の出力結果の識別精度に基づいて前記変換部を挿入する
ことを特徴とする請求項１乃至６の何れか１項に記載の学習装置。
【請求項８】
前記第１の生成手段は、前記第２のデータ群の特徴に基づいて挿入する前記変換部を決定する
ことを特徴とする請求項１乃至７の何れか１項に記載の学習装置。
【請求項９】
前記変換部は、前記所定の処理として、畳み込み処理及びｒｅｌｕ処理または所定の空間フィルタ処理を行う
ことを特徴とする請求項１乃至８の何れか１項に記載の学習装置。
【請求項１０】
前記変換部は、前記第１の層からの出力に対して前記所定の処理を行った結果を前記第２の層に入力する
ことを特徴とする請求項１乃至９の何れか１項に記載の学習装置。
【請求項１１】
前記第１のデータ群は、前記第２のＮＮの推論対象に適合しないドメインのデータを含む
ことを特徴とする請求項１乃至１０の何れか１項に記載の学習装置。
【請求項１２】
前記第２のデータ群は、前記第２のＮＮの推論対象に適合するドメインのデータを含む
ことを特徴とする請求項１乃至１１の何れか１項に記載の学習装置。
【請求項１３】
ニューラルネットワーク（ＮＮ）を学習する学習装置の制御方法であって、
第１のデータ群を用いて第１のＮＮを学習する第１の学習工程と、
前記第１のＮＮにおける第１の層と該第１の層に後続する第２の層との間に所定の処理を行う変換部を追加した第２のＮＮを生成する第１の生成工程と、
前記第１のデータ群と異なる第２のデータ群を用いて前記第２のＮＮを学習する第２の学習工程と、
を含むことを特徴とする学習装置の制御方法。
【請求項１４】
コンピュータを、請求項１乃至１２の何れか１項に記載の学習装置の各手段として機能させるためのプログラム。
【手続補正書】
【提出日】令和3年4月2日(2021.4.2)
【手続補正１】
【補正対象書類名】特許請求の範囲
【補正対象項目名】全文
【補正方法】変更
【補正の内容】
【特許請求の範囲】
【請求項１】
機能画像表示部と、機能実行部を備え、
前記機能画像表示部は、タッチパネルディスプレイで第１の操作を受け付けた場合に１以上の第１機能画像を表示し、
前記機能実行部は、前記タッチパネルディスプレイで前記１以上の第１機能画像のうちから１つの第１機能画像を選択する第２の操作を受け付けてから操作が所定条件を満たしている間、選択された第１機能画像に対応する第１機能を実行し、
前記機能画像表示部は、前記第１機能を実行している間、選択された第１機能画像に関連する１以上の第２機能画像を表示する、
情報処理装置。
【請求項２】
前記機能画像表示部は、前記タッチパネルディスプレイで前記第１の操作を受け付けた位置に基づいて、前記タッチパネルディスプレイに前記１以上の第１機能画像を表示する、
請求項１に記載の情報処理装置。
【請求項３】
前記機能画像表示部は、前記１以上の第２機能画像を、前記第１の操作を受け付けた位置に対して選択された第１機能画像と反対側に表示する、
請求項２に記載の情報処理装置。
【請求項４】
前記機能画像表示部は、前記１以上の第１機能画像のうち、選択された第１機能と関連性が低い機能に対応する他の第１機能画像に代えて、前記１以上の第２機能画像を表示する、
請求項２又は３に記載の情報処理装置。
【請求項５】
前記機能画像表示部は、前記第１機能の実行継続時間に応じて、表示する１以上の第２機能画像を変化させる、
請求項１乃至４のいずれかに記載の情報処理装置。
【請求項６】
前記機能画像表示部は、前記１以上の第２機能画像をユーザの使用頻度に応じた位置に配置する、
請求項１乃至５のいずれかに記載の情報処理装置。
【請求項７】
スクロール制御部を備え、
前記スクロール制御部は、前記タッチパネルディスプレイに表示されるコンテンツを、前記タッチパネルディスプレイで受け付けたスクロール操作に応じてスクロールさせ、
前記機能画像表示部は、前記タッチパネルディスプレイで前記第２の操作を受け付けてからタッチ操作が継続している間、前記１以上の第１機能画像を表示し、
前記機能実行部は、前記選択された第１機能画像に対応する機能を、前記タッチパネルディスプレイに表示されているコンテンツに対して実行する、
請求項１乃至６のいずれかに記載の情報処理装置。
【請求項８】
前記機能実行部は、前記１以上の第２機能画像のうちから１つの第２機能画像を選択する第３の操作の操作を受け付けてから操作が前記所定条件を満たしている間、選択された第２機能画像に対応する第２機能を実行する、
請求項１乃至７のいずれかに記載の情報処理装置。
【請求項９】
前記機能画像表示部は、前記第１の操作を受け付けてから操作が前記所定条件を満たさなくなった場合に、前記第１の操作を受け付けた時点における前記タッチパネルディスプレイの表示に戻す、
請求項１乃至８のいずれかに記載の情報処理装置。
【請求項１０】
前記機能画像表示部は、前記第２の操作を受け付けてから操作が前記所定条件を満たさなくなった場合に、前記第１の操作を受け付けた時点における前記タッチパネルディスプレイの表示、又は前記第２の操作を受け付けた時点における前記タッチパネルディスプレイの表示に戻す、
請求項１乃至９のいずれかに記載の情報処理装置。
【請求項１１】
タッチパネルディスプレイで第１の操作を受け付けた場合に１以上の第１機能画像をコンピュータが表示させ、
前記タッチパネルディスプレイで前記１以上の第１機能画像のうちから１つの第１機能画像を選択する第２の操作を受け付けてから操作が所定条件を満たしている間、選択された第１機能画像に対応する第１機能をコンピュータが実行し、
前記第１機能を実行している間、選択された第１機能画像に関連する１以上の第２機能画像をコンピュータが表示させる、
機能表示方法。
【請求項１２】
コンピュータを、
タッチパネルディスプレイで第１の操作を受け付けた場合に１以上の第１機能画像を表示する機能画像表示手段、
前記タッチパネルディスプレイで前記１以上の第１機能画像のうちから１つの第１機能画像を選択する第２の操作を受け付けてから操作が所定条件を満たしている間、選択された第１機能画像に対応する第１機能を実行させる機能実行手段、
前記第１機能を実行している間、選択された第１機能画像に関連する１以上の第２機能画像を表示する前記機能画像表示手段、として機能させるための機能表示プログラム。
【手続補正書】
【提出日】令和3年4月2日(2021.4.2)
【手続補正１】
【補正対象書類名】特許請求の範囲
【補正対象項目名】全文
【補正方法】変更
【補正の内容】
【特許請求の範囲】
【請求項１】
表示制御部と、機能実行部と、記憶制御部とを備え、
前記表示制御部は、コンテンツに含まれる複数の画像のうち少なくとも１つを画面に表示し、
前記機能実行部は、第１操作を受け付けている間に、前記複数の画像のうち、前記第１操作を受け付けた時点で前記画面に表示されている第１画像とは異なる画像を、前記画面に表示させ、
前記記憶制御部は、第１画像と、前記第１操作が終了した第２時点で前記画面に表示されている第２画像とを関連付けて記憶する、
情報処理装置。
【請求項２】
前記記憶制御部は、複数のユーザの各々から、第１画像に対して異なる第２画像を関連付ける関連情報を受け付けると、第１画像に対して複数の第２画像を関連付けて記憶する、
請求項１の情報処理装置。
【請求項３】
前記記憶制御部は、複数のユーザの各々について設定された重み付けに基づいて選択された少なくとも一つの第２画像を、前記複数の第２画像の中から第１画像に関連付けて記憶する、
請求項２に記載の情報処理装置。
【請求項４】
コンテンツは、夫々１以上の画像を含む複数のページを含み、
前記表示制御部は、前記画面に第１画像を表示した状態から、第２操作を受け付けると、第１画像に関連付けられた第２画像を多く含むページを前記画面に表示する、請求項１〜３の何れかに記載の情報処理装置。
【請求項５】
前記表示制御部は、第１画像を起点として第２画像を前記画面に表示した状態から、第３操作を受け付けると、第２画像に関連付けられた第１画像を前記画面に表示する請求項１〜４の何れかに記載の情報処理装置。
【請求項６】
前記表示制御部は、第１画像が前記画面に表示された場合、第１画像に関連付けられた第２画像があることを示す報知を行う請求項１〜５の何れかに記載の情報処理装置。
【請求項７】
前記機能実行部は、第４操作を受け付けると前記画面に表示されている前記コンテンツを所定の進行方向に進行させ、前記第４操作を受け付けた時点で前記画面に第１画像が表示されていた場合に、前記コンテンツを進行させる速度を、第２画像の近傍において低下させる、
請求項１〜６の何れかに記載の情報処理装置。
【請求項８】
コンテンツに含まれる複数の画像のうち少なくとも１つをコンピュータが画面に表示し、
第１操作を受け付けている間に、前記複数の画像のうち、前記第１操作を受け付けた時点で前記画面に表示されている第１画像とは異なる画像を、コンピュータが前記画面に表示させ、
第１画像と、前記第１操作が終了した第２時点で前記画面に表示されている第２画像とを関連付けてコンピュータが記憶する、
探索履歴記憶方法。
【請求項９】
コンピュータを、
コンテンツに含まれる複数の画像のうち少なくとも１つを画面に表示する表示制御手段、
第１操作を受け付けている間に、前記複数の画像のうち、前記第１操作を受け付けた時点で前記画面に表示されている第１画像とは異なる画像を、前記画面に表示させる機能実行手段、
第１画像と、前記第１操作が終了した第２時点で前記画面に表示されている第２画像とを関連付けて記憶する記憶制御手段、
として機能させるための探索履歴記憶プログラム。
【手続補正書】
【提出日】令和3年3月29日(2021.3.29)
【手続補正１】
【補正対象書類名】特許請求の範囲
【補正対象項目名】全文
【補正方法】変更
【補正の内容】
【特許請求の範囲】
【請求項１】
基板と、前記基板の上に配置されている第一ＥＬ素子と、第二ＥＬ素子と、を有し、
前記第一ＥＬ素子及び前記第二ＥＬ素子は、それぞれ、前記基板側から、下部電極、発光層、上部電極、カラーフィルタをこの順で有し、
前記下部電極の端部を覆い、前記下部電極と前記発光層との間に配置されている絶縁層を有する発光装置であって、
前記第一ＥＬ素子が有する第一カラーフィルタと、前記第二ＥＬ素子が有する第二カラーフィルタとが平面視において重なっている重なり領域を有し、
前記絶縁層は、前記第一ＥＬ素子の前記下部電極の上に配置された第一部分と、前記第一ＥＬ素子の前記下部電極の上に配置された第二部分と、前記第一ＥＬ素子の前記下部電極と前記第二ＥＬ素子の前記下部電極との間に配置された第三部分と、を有し、
前記第三部分は複数の傾斜部を有する凹部を有しており、
前記凹部の有する前記複数の傾斜部のうち、前記第二ＥＬ素子に最も近い傾斜部と、前記重なり領域と、が平面視において重なっていることを特徴とする発光装置。
【請求項２】
前記第一カラーフィルタを透過する第一の光の視感度は、前記第二カラーフィルタを透過する第二の光の視感度よりも低く、前記重なり領域において前記第二カラーフィルタの上に前記第一カラーフィルタが配置されていることを特徴とする請求項１に記載の発光装置。
【請求項３】
前記重なり領域における前記第一カラーフィルタの形状は、前記重なり領域の端部に向かって順テーパー形状であることを特徴とする請求項１または２に記載の発光装置。
【請求項４】
前記傾斜部は、前記基板に対して傾きを有することを特徴とする請求項１乃至３のいずれか一項に記載の発光装置。
【請求項５】
前記絶縁層の前記傾斜部と、前記基板とが成す角は、６０度以上９０度以下であることを特徴とする請求項４に記載の発光装置。
【請求項６】
前記絶縁層の前記傾斜部と、前記基板とが成す角は、６０度以上９０度未満であることを特徴とする請求項４に記載の発光装置。
【請求項７】
前記絶縁層は、無機化合物からなることを特徴とする請求項１乃至６のいずれか一項に記載の発光装置。
【請求項８】
前記第一ＥＬ素子および前記第二ＥＬ素子は、前記上部電極と前記カラーフィルタとの間に保護層を有し、
前記第二ＥＬ素子の前記保護層は、前記第二カラーフィルタと平面視において重なる領域に傾斜部を有し、
前記傾斜部のうち、第一有機ＥＬ素子に最も近い傾斜部は、平面視において前記重なり領域と重なっていることを特徴とする請求項１乃至７のいずれか一項に記載の発光装置。
【請求項９】
前記保護層は、前記第一有機ＥＬ素子と前記第二ＥＬ素子との間で連続して設けられ、
前記保護層は、低密度領域を有し、前記低密度領域は、平面視において前記重なり領域と重なっていることを特徴とする請求項８に記載の発光装置。
【請求項１０】
前記第三部分の有する複数の傾斜部は全て、平面視において前記重なり領域と重なることを特徴とする請求項１乃至９のいずれか一項に記載の発光装置。
【請求項１１】
前記発光層は、有機化合物を含むことを特徴とする請求項１乃至１０のいずれか一項に記載の発光装置。
【請求項１２】
前記カラーフィルタの上に対向基板をさらに有し、前記カラーフィルタと前記対向基板との間に樹脂層を有することを特徴とする請求項１乃至１１のいずれか一項に記載の発光装置。
【請求項１３】
請求項１乃至１２のいずれか一項に記載の発光装置と、前記発光装置に接続されている能動素子とを有することを特徴とする表示装置。
【請求項１４】
複数のレンズを有する光学部と、前記光学部を通過した光を受光する撮像素子と、画像を表示する表示部と、を有する撮像装置であって、
前記表示部は、前記撮像素子が撮像した画像を表示する表示部であり、前記表示部は請求項１乃至１２のいずれか一項に記載の発光装置を有することを特徴とする撮像装置。
【請求項１５】
表示部と、通信部とを有する通信機器であって、
前記表示部は、請求項１乃至１２のいずれか一項に記載の発光装置を有することを特徴とする通信機器。
【手続補正２】
【補正対象書類名】明細書
【補正対象項目名】００１３
【補正方法】変更
【補正の内容】
【００１３】
本発明の一側面としての発光装置は、基板と、前記基板の上に配置されている第一ＥＬ素子と、第二ＥＬ素子と、を有し、前記第一ＥＬ素子及び前記第二ＥＬ素子は、それぞれ、前記基板側から、下部電極、発光層、上部電極、カラーフィルタをこの順で有し、前記下部電極の端部を覆い、前記下部電極と前記発光層との間に配置されている絶縁層を有する発光装置であって、前記第一ＥＬ素子が有する第一カラーフィルタと、前記第二ＥＬ素子が有する第二カラーフィルタとが平面視において重なっている重なり領域を有し、前記絶縁層は、前記第一ＥＬ素子の前記下部電極の上に配置された第一部分と、前記第一ＥＬ素子の前記下部電極の上に配置された第二部分と、前記第一ＥＬ素子の前記下部電極と前記第二ＥＬ素子の前記下部電極との間に配置された第三部分と、を有し、前記第三部分は複数の傾斜部を有する凹部を有しており、前記凹部の有する前記複数の傾斜部のうち、前記第二ＥＬ素子に最も近い傾斜部と、前記重なり領域と、が平面視において重なっていることを特徴とする。
【手続補正書】
【提出日】令和3年11月5日(2021.11.5)
【手続補正１】
【補正対象書類名】特許請求の範囲
【補正対象項目名】請求項４
【補正方法】変更
【補正の内容】
【請求項４】
複数個のＣＰＵを搭載して車両（１）を制御する処理のために用いられ、少なくとも一部の処理については前記複数個のＣＰＵを用いて重複して処理する車両制御装置（１００）の起動方法であって、
前記車両のエンジン（１）が停止したことを検知する工程（Ｓ３０４）と、
前記車両のエンジンが停止したことが検知されると、前記複数個のＣＰＵの動作状態を、所定の第１ＣＰＵ（１００ａ）は標準速度よりも低速で動作するが、前記第１ＣＰＵを除いた第２ＣＰＵ（１００ｂ）は動作を停止するエンジン停止時動作状態に設定する工程（Ｓ１００）と、
前記停止時動作状態で、前記車両に搭載されたスイッチ（１０、２０）の設定状態を、前記第１ＣＰＵを用いて監視する工程（Ｓ１０４）と、
前記エンジン停止時動作状態で前記スイッチの設定状態の変化が検知されると、前記複数個のＣＰＵの動作状態を、前記第１ＣＰＵは前記標準速度で動作するが、前記第２ＣＰＵの動作は停止したままの確認時動作状態に設定する工程（Ｓ１０７）と、
前記確認時動作状態に設定されると、前記スイッチの設定状態を所定の複数回に亘って確認する工程（Ｓ２００〜Ｓ２０３）と、
前記確認時動作状態での前記複数回の確認結果に基づいて前記スイッチの設定状態が変化したか否かを判断し、変化していた場合には、前記複数個のＣＰＵの動作状態を、前記第１ＣＰＵおよび前記第２ＣＰＵが前記標準速度で動作する標準時動作状態に設定する工程（Ｓ２０７）と
を備える車両制御装置の起動方法。
【手続補正書】
【提出日】令和3年3月25日(2021.3.25)
【手続補正１】
【補正対象書類名】特許請求の範囲
【補正対象項目名】全文
【補正方法】変更
【補正の内容】
【特許請求の範囲】
【請求項１】
利用者が操作可能な利用者端末から入力された知的財産に関する情報を前記利用者端末から取得する情報取得部と、
取得された前記情報に基づき、前記知的財産に係る権利取得の可能性を判定する判定部と、
判定された前記可能性と、発明の構成要件毎の一致度が表示される判定表を前記利用者端末に提供する判定提供部と、
判定された前記可能性に基づき、取得された前記情報に対する補正情報を生成する補正情報生成部と、
取得された前記情報を前記利用者と対応付けられた利用者領域に記録する情報記録部と、
記録された前記情報を閲覧可能に提供する情報提供部と
を備える、情報処理装置。
【請求項２】
前記補正情報生成部は、取得された前記情報における構成要件の削除または追加を提案する前記補正情報を生成する、請求項１に記載の情報処理装置。
【請求項３】
前記補正情報生成部は、記録された前記情報にさらに基づき、前記補正情報を生成する、請求項１または２に記載の情報処理装置。
【請求項４】
前記情報記録部は、前記情報が取得された日時を取得された前記情報と対応付けて記録し、
前記情報提供部は、前記日時と対応付けられた前記情報を提供する、請求項１から３のいずれか一項に記載の情報処理装置。
【請求項５】
前記情報取得部は、閲覧可能に提供された前記情報に基づき前記利用者が創作した前記情報を取得する、請求項１から４のいずれか一項に記載の情報処理装置。
【請求項６】
前記情報記録部は、取得された前記情報を分散型台帳技術を利用して記録する、請求項１から５のいずれか一項に記載の情報処理装置。
【請求項７】
記録された前記情報の存在を証明する証明情報を提供する証明情報提供部をさらに備える、請求項１から６のいずれか一項に記載の情報処理装置。
【請求項８】
閲覧可能に提供された前記情報を認証する認証情報を取得する認証情報取得部をさらに備え、
前記情報記録部は、取得された前記認証情報を前記情報と対応付けて記録する、請求項１から７のいずれか一項に記載の情報処理装置。
【請求項９】
複数の前記利用者領域に記録された前記情報を収集する情報収集部と、
収集された前記情報に基づき、前記情報の動向を集計する動向集計部と
をさらに備える、請求項１から８のいずれか一項に記載の情報処理装置。
【請求項１０】
前記権利取得の審査結果を取得する審査結果取得部をさらに備え、
前記判定部は、取得された前記審査結果を機械学習し、前記可能性を判定する、請求項１から９のいずれか一項に記載の情報処理装置。
【請求項１１】
前記判定部は、生成された前記補正情報に基づき前記知的財産に係る権利取得の可能性を再判定する、請求項１から１０のいずれか一項に記載の情報処理装置。
【請求項１２】
前記補正情報生成部は、複数の前記補正情報を生成し、
前記判定部は、生成された複数の前記補正情報に基づき、それぞれの権利取得の可能性を再判定する、請求項１１に記載の情報処理装置。
【請求項１３】
取得された前記情報に基づき、前記知的財産に係る権利の価値を評価する価値評価部をさらに備える、請求項１から１２のいずれか一項に記載の情報処理装置。
【請求項１４】
前記補正情報生成部は、生成された前記補正情報における前記情報に対するシミュレーションを行う、請求項１から１３のいずれか一項に記載の情報処理装置。
【請求項１５】
利用者が操作可能な利用者端末から入力された知的財産に関する情報を前記利用者端末から取得する情報取得ステップと、
取得された前記情報に基づき、前記知的財産に係る権利取得の可能性を判定する判定ステップと、
判定された前記可能性と、発明の構成要件毎の一致度が表示される判定表を前記利用者端末に提供する判定提供ステップと、
判定された前記可能性に基づき、取得された前記情報に対する補正情報を生成する補正情報生成ステップと、
取得された前記情報を前記利用者と対応付けられた利用者領域に記録する情報記録ステップと、
記録された前記情報を閲覧可能に提供する情報提供ステップと
を含む、情報処理方法。
【請求項１６】
コンピュータに、
利用者が操作可能な利用者端末から入力された知的財産に関する情報を前記利用者端末から取得する情報取得機能と、
取得された前記情報に基づき、前記知的財産に係る権利取得の可能性を判定する判定機能と、
判定された前記可能性と、発明の構成要件毎の一致度が表示される判定表を前記利用者端末に提供する判定提供機能と、
判定された前記可能性に基づき、取得された前記情報に対する補正情報を生成する補正情報生成機能と、
取得された前記情報を前記利用者と対応付けられた利用者領域に記録する情報記録機能と、
記録された前記情報を閲覧可能に提供する情報提供機能と
を実現させるための、情報処理プログラム。
【手続補正書】
【提出日】令和3年10月4日(2021.10.4)
【手続補正１】
【補正対象書類名】特許請求の範囲
【補正対象項目名】全文
【補正方法】変更
【補正の内容】
【特許請求の範囲】
【請求項１】
仮想空間を定義するステップと、
ユーザに関連付けられた第１オブジェクトを、前記仮想空間に配置するステップと、
前記ユーザの動きに応じて、前記第１オブジェクトからの視界を制御するステップと、
前記第１オブジェクトに作用を及ぼす第２オブジェクトを前記視界外に配置するステップと、
前記第２オブジェクトを前記第１オブジェクトの周囲に移動させるステップと、
前記第１オブジェクトの周囲に前記第２オブジェクトが位置することを前記視界内で提示するステップと、
前記視界に対応する視界画像を前記ユーザに関連付けられた画像表示装置に表示させるステップと、
前記提示が行われてから一定時間経過後に、前記第２オブジェクトを前記第１オブジェクトに向けて移動させるステップと、
前記第１オブジェクトと前記第２オブジェクトとの位置関係に応じて、前記第１オブジェクトに前記作用を及ぼすステップと、
をコンピュータに実行させるためのプログラム。
【請求項２】
前記第２オブジェクトを前記第１オブジェクトの周囲に移動させるステップにおいて、前記第２オブジェクトを、前記第１オブジェクトの周囲かつ前記視界外の位置に移動させ、
前記提示は、前記視界内に前記第２オブジェクトを移動させることである、請求項１に記載のプログラム。
【請求項３】
前記提示は、前記視界内への前記第２オブジェクトの移動および前記視界外への前記第２オブジェクトの移動を１回以上生じさせることである、請求項１に記載のプログラム。
【請求項４】
前記提示は、前記視界外から前記視界内の正面方向に前記第２オブジェクトを回り込ませることである、請求項２に記載のプログラム。
【請求項５】
前記第２オブジェクトを前記第１オブジェクトの周囲に移動させるステップにおいて、前記第２オブジェクトを前記第１オブジェクトの周囲かつ前記視界外の位置に移動させ、
前記提示は、前記第２オブジェクトを発光させるとともに、当該発光の影響を前記視界
に生じさせることである、請求項１に記載のプログラム。
【請求項６】
前記第２オブジェクトを前記第１オブジェクトに向けて移動させるステップにおいて、前記第１オブジェクトと前記第２オブジェクトとの位置関係に応じて前記第２オブジェクトの移動速度を変化させる、請求項１から５のいずれか一項に記載のプログラム。
【請求項７】
前記ユーザの動きに応じて、前記第１オブジェクトの移動を制御可能である、請求項１から６のいずれか一項に記載のプログラム。
【請求項８】
前記ユーザの体重移動に応じて、前記第１オブジェクトの移動を制御可能である、請求項７に記載のプログラム。
【請求項９】
プロセッサを備えた情報処理装置であって、
仮想空間を定義するステップと、
ユーザに関連付けられた第１オブジェクトを、前記仮想空間に配置するステップと、
前記ユーザの動きに応じて、前記第１オブジェクトからの視界を制御するステップと、
前記第１オブジェクトに作用を及ぼす第２オブジェクトを前記視界外に配置するステップと、
前記第２オブジェクトを前記第１オブジェクトの周囲に移動させるステップと、
前記第１オブジェクトの周囲に前記第２オブジェクトが位置することを前記視界内で提示するステップと、
前記視界に対応する視界画像を前記ユーザに関連付けられた画像表示装置に表示させるステップと、
前記提示が行われてから一定時間経過後に、前記第２オブジェクトを前記第１オブジェクトに向けて移動させるステップと、
前記第１オブジェクトと前記第２オブジェクトとの位置関係に応じて、前記第１オブジェクトに前記作用を及ぼすステップと、
が前記プロセッサの制御により実行される、情報処理装置。
【請求項１０】
コンピュータによって実行される情報処理方法であって、
仮想空間を定義するステップと、
ユーザに関連付けられた第１オブジェクトを、前記仮想空間に配置するステップと、
前記ユーザの動きに応じて、前記第１オブジェクトからの視界を制御するステップと、
前記第１オブジェクトに作用を及ぼす第２オブジェクトを前記視界外に配置するステップと、
前記第２オブジェクトを前記第１オブジェクトの周囲に移動させるステップと、
前記第１オブジェクトの周囲に前記第２オブジェクトが位置することを前記視界内で提示するステップと、
前記視界に対応する視界画像を前記ユーザに関連付けられた画像表示装置に表示させるステップと、
前記提示が行われてから一定時間経過後に、前記第２オブジェクトを前記第１オブジェクトに向けて移動させるステップと、
前記第１オブジェクトと前記第２オブジェクトとの位置関係に応じて、前記第１オブジェクトに前記作用を及ぼすステップと、
を含む、情報処理方法。
【手続補正書】
【提出日】令和3年3月30日(2021.3.30)
【手続補正１】
【補正対象書類名】特許請求の範囲
【補正対象項目名】全文
【補正方法】変更
【補正の内容】
【特許請求の範囲】
【請求項１】
動画を入力してデータベースに登録する動画入力部と、
登録された前記動画におけるシーンの特徴量を抽出し、前記特徴量に応じてシーンの画定を行うシーン解析部と、
前記シーン解析部において画定された前記シーンごとにシーン名を付与して前記シーン名を前記シーンごとに紐付けるシーン名付与部と、
前記動画の時間軸上の所定の位置をマーキングするマーキング部と、を備え、
前記シーン解析部は、前記マーキングが行われた場合には、前記マーキングされた位置に基づいて前記シーンのすくなくとも開始位置または終了位置のいずれかを修正する、
ことを特徴とする動画閲覧装置。
【請求項２】
手術動画を入力してデータベースに登録する動画入力部と、
登録された前記手術動画におけるシーンの特徴量を抽出し、前記特徴量に応じてシーンの画定を行うシーン解析部と、
前記シーン解析部において画定された前記シーンごとにシーン名を付与して前記シーン名を前記シーンごとに紐付けるシーン名付与部と、
前記動画の時間軸上の所定の位置をマーキングするマーキング部と、を備え、
前記シーン解析部は、前記マーキングが行われた場合には、前記マーキングされた位置に基づいて前記シーンのすくなくとも開始位置または終了位置のいずれかを修正する、
ことを特徴とする動画閲覧装置。
【請求項３】
前記シーン名付与部は、前記シーンの順序にしたがって予め定められた名称に基づいて前記シーン名を付与する、
ことを特徴とする請求項２に記載の動画閲覧装置。
【請求項４】
動画入力部により、動画を入力してデータベースに登録するステップと、
シーン解析部により、登録された前記動画におけるシーンの特徴量を抽出し、前記特徴量に応じてシーンの画定を行うステップと、
シーン名付与部により、前記シーン解析部において画定された前記シーンごとにシーン名を付与して前記シーン名を前記シーンごとに紐付けるステップと、
マーキング部により、前記動画の時間軸上の所定の位置をマーキングするステップと、を備え、
前記シーンの画定を行うステップは、前記マーキングが行われた場合には、前記マーキングされた位置に基づいて前記シーンのすくなくとも開始位置または終了位置のいずれかを修正する、
ことを特徴とする動画閲覧装置の制御方法。
【請求項５】
動画閲覧装置におけるプログラムであって、前記プログラムは、コンピュータに、
動画を入力してデータベースに登録するステップと、
登録された前記動画におけるシーンの特徴量を抽出し、前記特徴量に応じてシーンの画定を行うステップと、
前記画定された前記シーンごとにシーン名を付与して前記シーン名を前記シーンごとに紐付けるステップと、
前記動画の時間軸上の所定の位置をマーキングするステップと、を実行させ、
前記シーンの画定を行うステップは、前記マーキングが行われた場合には、前記マーキングされた位置に基づいて前記シーンのすくなくとも開始位置または終了位置のいずれかを修正する、
ことを特徴とするプログラム。
【手続補正書】
【提出日】令和3年4月6日(2021.4.6)
【手続補正１】
【補正対象書類名】特許請求の範囲
【補正対象項目名】全文
【補正方法】変更
【補正の内容】
【特許請求の範囲】
【請求項１】
認証対象となる物体の登録画像を登録辞書に登録する登録手段と、
入力画像と前記登録画像との間の類似度を算出するための類似度算出パラメタを、前記登録画像をもとに生成する生成手段と、
前記類似度算出パラメタを用いて算出された前記入力画像と前記登録画像との間の類似度に基づいて、前記入力画像に含まれる人物に該当する登録人物を判定する判定手段と、
前記登録人物についての登録状況を出力する出力手段と、
を有することを特徴とする、画像認証装置。
【請求項２】
所定の条件ごとに前記登録画像が属するグループを設定する設定手段をさらに有することを特徴とする、
請求項１に記載の画像認証装置。
【請求項３】
前記所定の条件は、前記入力画像を撮像した撮像装置に関する照明条件であることを特徴とする、
請求項２に記載の画像認証装置。
【請求項４】
前記所定の条件は、前記入力画像を取得した時間であることを特徴とする、
請求項２または３に記載の画像認証装置。
【請求項５】
前記所定の条件は、前記入力画像が撮像された際の天気であることを特徴とする、
請求項２〜４のいずれか１項に記載の画像認証装置。
【請求項６】
前記類似度算出パラメタは、前記グループごとに生成されることを特徴とする、
請求項２〜５のいずれか１項に記載の画像認証装置。
【請求項７】
前記登録状況は、前記グループごとの前記登録画像を含むことを特徴とする、
請求項２〜６のいずれか１項に記載の画像認証装置。
【請求項８】
前記登録状況は、前記登録画像が割り当てられていないグループ、または、割り当てられた前記登録画像の数が他のグループに比較してより少ないグループを示すこと特徴とする、
請求項７に記載の画像認証装置。
【請求項９】
前記判定手段は、前記所定の条件に応じて選択された前記登録辞書に対応する前記類似度算出パラメタに基づいて、前記入力画像に含まれる人物を判定することを特徴とする、
請求項２〜８のいずれか１項に記載の画像認証装置。
【請求項１０】
前記登録状況は、前記登録人物ごとに前記登録辞書に登録されている画像の有無を示すことを特徴とする、
請求項１〜８のいずれか１項に記載の画像認証装置。
【請求項１１】
所定の器官の検出結果に基づいて、前記入力画像に対して複数の局所領域を決定する決定手段をさらに備え、
前記類似度算出パラメタは、前記複数の局所領域ごとに生成され、
前記類似度は、前記複数の局所領域ごとに算出されることを特徴とする、
請求項１〜１０のいずれか１項に記載の画像認証装置。
【請求項１２】
前記決定手段は、前記所定の器官ごとに検出された位置を中心とした複数の矩形領域を前記複数の局所領域として決定することを特徴とする、
請求項１１に記載の画像認証装置。
【請求項１３】
前記類似度算出パラメタは、さらに新たに前記登録辞書に登録される画像に基づいて更新されることを特徴とする、
請求項１〜１２のいずれか１項に記載の画像認証装置。
【請求項１４】
前記入力画像または前記登録画像から特徴量を抽出する抽出手段をさらに備え、
前記類似度算出パラメタは、前記登録画像の特徴量に基づいて、特徴量空間でのベクトル間の角度を定めるための原点であって、
前記類似度は、前記原点を用いてベクトル間の角度に基づいて、算出されることを特徴とする、
請求項１３に記載の画像認証装置。
【請求項１５】
前記特徴量空間でのベクトル間の角度を定めるための原点は、前記抽出した複数の特徴量の平均から計算されることを特徴とする、
請求項１４に記載の画像認証装置。
【請求項１６】
前記類似度算出パラメタは、マハラノビス行列であり、
前記類似度は、前記マハラノビス行列をもとに算出されることを特徴とする、
請求項１４または１５に記載の画像認証装置。
【請求項１７】
認証対象となる物体の登録画像を登録辞書に登録する登録工程と、
入力画像と前記登録画像との間の類似度を算出するための類似度算出パラメタを、前記登録画像をもとに生成する生成工程と、
前記類似度算出パラメタを用いて算出された前記入力画像と前記登録画像との間の類似度に基づいて、前記入力画像に含まれる人物に該当する登録人物を判定する判定工程と、
前記登録人物についての登録状況を出力する出力工程と、
を有することを特徴とする、
画像認証方法。
【請求項１８】
撮像装置に接続されるコンピュータを、
認証対象となる物体の登録画像を登録辞書に登録する登録手段と、
入力画像と前記登録画像との間の類似度を算出するための類似度算出パラメタを、前記登録画像をもとに生成する生成手段と、
前記類似度算出パラメタを用いて算出された前記入力画像と前記登録画像との間の類似度に基づいて、前記入力画像に含まれる人物に該当する登録人物を判定する判定手段と、
前記登録人物についての登録状況を出力する出力手段と、
として動作させるためのコンピュータプログラム。
【手続補正２】
【補正対象書類名】明細書
【補正対象項目名】発明の名称
【補正方法】変更
【補正の内容】
【発明の名称】画像認証装置、画像認証方法及びコンピュータプログラム
【手続補正３】
【補正対象書類名】明細書
【補正対象項目名】００１０
【補正方法】変更
【補正の内容】
【００１０】
これらの課題を解決するために、本発明の画像認証装置は、認証対象となる物体の登録画像を登録辞書に登録する登録手段と、入力画像と前記登録画像との間の類似度を算出するための類似度算出パラメタを、前記登録画像をもとに生成する生成手段と、前記類似度算出パラメタを用いて算出された前記入力画像と前記登録画像との間の類似度に基づいて、前記入力画像に含まれる人物に該当する登録人物を判定する判定手段と、前記登録人物についての登録状況を出力する出力手段と、を有することを特徴とする。